(57)【要約】【課題】  ケーブルが外力を受けても、ケーブルおよびポッティング層の間に隙間が発生してしまうのを抑制することができる電子機器を提供する。【解決手段】  電子機器（１）は、電気素子（２０）と、電気素子を収容するケース（１０，３０）と、電気素子に接続され、ケースの外部に延びるケーブル（６０）と、ケースの内部に形成され、ケーブルの一部および電気素子が埋め込まれるポッティング層（９０）と、ケーブルのうち、ケースの外部に延出した部分を屈曲させて、ケーブルの一部をケースの外面に沿って配置させるガイド部材（８０）と、を有する。【選択図】  図１
2011120433.tif 000002
【特許請求の範囲】
【請求項１】
電気素子と、
前記電気素子を収容するケースと、
前記電気素子に接続され、前記ケースの外部に延びるケーブルと、
前記ケースの内部に形成され、前記ケーブルの一部および前記電気素子が埋め込まれるポッティング層と、
前記ケーブルのうち、前記ケースの外部に延出した部分を屈曲させて、前記ケーブルの一部を前記ケースの外面に沿って配置させるガイド部材と、
を有することを特徴とする電子機器。
【請求項２】
前記ガイド部材は、前記ケーブルの少なくとも２箇所を屈曲させることを特徴とする請求項１に記載の電子機器。
【請求項３】
前記ガイド部材は、前記ケースの外部に延出した前記ケーブルを前記ケースの外面に沿う方向に屈曲させるとともに、前記ケーブルを前記ケースの外面から離れる方向に屈曲させることを特徴とする請求項２に記載の電子機器。
【請求項４】
前記ガイド部材は、前記ケースの外面に固定されることを特徴とする請求項１から３のいずれか１つに記載の電子機器。
【請求項５】
前記ガイド部材は、前記ケースの外面とともに、前記ケーブルの一部を囲むことを特徴とする請求項４に記載の電子機器。
【請求項６】
前記ケーブルは、前記ケースの内部において、前記ポッティング層の表面に対して略直交する方向に延びていることを特徴とする請求項１から５のいずれか１つに記載の電子機器。
【請求項７】
前記ケースは、前記電気素子の収容を許容する開口部を有するケース本体と、前記ケース本体の前記開口部を塞ぐカバーと、を備えており、
前記カバーは、前記ケーブルを貫通させる貫通孔と、前記ポッティング層を形成する材料を充填するための充填口とを有することを特徴とする請求項１から６のいずれか１つに記載の電子機器。
【請求項８】
前記カバーは、平板状に形成されたカバー本体と、前記カバー本体に対して前記ケースの外側に向かって突出し、前記ガイド部材を支持するための支持部と、を有しており、
前記ケーブルは、前記ガイド部材によって、前記カバー本体および前記支持部に沿って配置されることを特徴とする請求項７に記載の電子機器。
【発明の詳細な説明】
【技術分野】
【０００１】
本発明は、ケーブルが接続された電気素子をポッティング層に埋め込んだ構造を有する電子機器に関するものである。
【背景技術】
【０００２】
特許文献１には、ハーネスの基端部をシリコン樹脂によるポッティングによって固定した構造が開示されている。
【先行技術文献】
【特許文献】
【０００３】
【特許文献１】実開平０５−０２９２３２号公報（図７）
【発明の概要】
【発明が解決しようとする課題】
【０００４】
シリコン樹脂を用いたポッティングによってハーネスの端部を固定した構造では、ハーネスに外力が作用したときに、ハーネスがシリコン樹脂から離れてしまうおそれがある。この場合には、ハーネスおよびシリコン樹脂の間に隙間が形成され、この隙間に水等が浸入してしまうおそれがある。
【０００５】
そこで、本発明の目的は、ケーブルが外力を受けても、ケーブルおよびポッティング層の間に隙間が発生してしまうのを抑制することができる電子機器を提供することにある。
【課題を解決するための手段】
【０００６】
本発明である電子機器は、電気素子と、電気素子を収容するケースと、電気素子に接続され、ケースの外部に延びるケーブルと、ケースの内部に形成され、ケーブルの一部および電気素子が埋め込まれるポッティング層と、ケーブルのうち、ケースの外部に延出した部分を屈曲させて、ケーブルの一部をケースの外面に沿って配置させるガイド部材と、を有する。
【０００７】
ここで、ガイド部材を用いて、ケーブルの少なくとも２箇所を屈曲させることができる。これにより、ケーブルに作用する外力の方向に拘わらず、ケーブルを屈曲させた部分において、外力を吸収することができる。例えば、ガイド部材を用いて、ケースの外部に延出したケーブルをケースの外面に沿う方向に屈曲させるとともに、ケーブルをケースの外面から離れる方向に屈曲させることができる。
【０００８】
ガイド部材は、ケースの外面に固定することができる。これにより、ガイド部材と、ケースの外面とによって、ケーブルの一部を囲むことができる。そして、ケーブルを、ガイド部材およびケースに接触させて、ケーブルに作用する外力を吸収することができる。
【０００９】
ケーブルは、ケースの内部において、ポッティング層の表面に対して略直交する方向に延びるように配置することができる。これにより、ケーブルおよびポッティング層の間に隙間を生じにくくすることができる。
【００１０】
ケースは、電気素子の収容を許容する開口部を有するケース本体と、ケース本体の開口部を塞ぐカバーと、で構成することができる。そして、カバーには、ケーブルを貫通させる貫通孔と、ポッティング層を形成する材料を充填するための充填口とを設けることができる。また、カバーは、平板状に形成されたカバー本体と、カバー本体に対してケースの外側に向かって突出し、ガイド部材を支持するための支持部と、で構成することができる。そして、ガイド部材を用いて、カバー本体および支持部に沿ってケーブルを配置させることができる。
【発明の効果】
【００１１】
本発明によれば、ケーブルのうち、ケースの外部に位置する部分に外力が作用しても、ケーブルを屈曲させた部分で外力を吸収することができ、ケーブルのうち、ケースの内部に位置する部分に外力が伝わるのを抑制することができる。これにより、ケーブルがポッティング層から離れて、ケーブルおよびポッティング層の間に隙間が生じてしまうのを防止することができる。
【図面の簡単な説明】
【００１２】
【図１】本発明の実施例１である電子機器の分解斜視図である。
【図２】実施例１である電子機器の断面図である。
【図３】実施例１のカバーやガイド部材を省略した構造において、ケーブルに外力が作用した状態を示す図である。
【発明を実施するための形態】
【００１３】
以下、本発明の実施例について説明する。
【実施例１】
【００１４】
本発明の実施例１である電子機器について、図１および図２を用いて説明する。図１は、電子機器の分解斜視図であり、図２は、電子機器の断面図である。図１および図２において、Ｘ軸、Ｙ軸およびＺ軸は、互いに直交する軸であり、本実施例では、鉛直方向に相当する軸をＺ軸としている。
【００１５】
ケース本体１０には、電気素子２０が収容されるようになっており、ケース本体１０の外壁面には、一対のブッシュ１１が設けられている。ブッシュ１１には、ネジ（不図示）を貫通させるための貫通孔１１ａが形成されており、ブッシュ１１は、貫通孔１１ａに挿入されるネジによって、他の部材に固定される。例えば、本実施例の電子機器１は、車両に搭載することができ、ケース本体１０を車両ボディ（不図示）に固定することができる。
【００１６】
ケース本体１０の内壁面には、カバー３０を支持するための複数の台座部１２が設けられており、台座部１２には、ネジ４１と噛み合うネジ溝１２ａが形成されている。ここで、カバー３０（カバープレート３７）の外縁部は、ケース本体１０の内壁面に沿った形状に形成されており、カバー３０（カバープレート３７）の外縁部がケース本体１０の内壁面に接触することにより、ケース本体１０に対してカバー３０を位置決めすることができる。
【００１７】
カバー３０（カバープレート３７）およびケース本体１０によって囲まれたスペースは、電気素子２０の収容スペースとなる。なお、ケース本体１０は、電気素子２０を収容するためのスペースを有していればよく、ケース本体１０の形状は適宜設定することができる。例えば、ケース本体１０を、電気素子２０の外形に沿った形状に形成することができる。
【００１８】
電気素子２０は、素子本体２１と、素子本体２１を支持するプレート２２と、素子本体２１に取り付けられた配線２３とを有しており、ケース本体１０の底面に載置される。図１に示す構造では、４つの配線２３が設けられており、これらの配線２３のうち、３つの配線２３が図１に示されている。電気素子２０としては、例えば、ノイズフィルタを用いることができ、この場合には、素子本体２１としてフェライトコアを用い、配線２３としてコイルを用いることができる。なお、電気素子２０は、ノイズフィルタに限るものではなく、他の素子を用いることもできる。
【００１９】
電気素子２０の各配線２３には、金属製の接続部品５１を介してワイヤハーネス（ケーブル）６０の一端部６１が接続される。ワイヤハーネス６０は、配線２３の数（４つ）だけ設けられている。接続部品５１は円筒状に形成されており、接続部品５０の一端部５１には、配線２３の先端部が挿入され、接続部品５０の一端部５１は、配線２３の先端部に対してカシメ処理によって固定される。
【００２０】
また、接続部品５０の他端部５２には、ワイヤハーネス６０の一端部６１が挿入され、接続部品５０の他端部５２は、ワイヤハーネス６０の一端部６１に対してカシメ処理によって固定される。ワイヤハーネス６０は、導電部を絶縁層で覆った構造を有しており、一端部６１では、導電部が露出している。なお、各ワイヤハーネス６０の他端部（不図示）は、他の機器（不図示）に接続されている。
【００２１】
熱収縮チューブ７０は、円筒状に形成されており、接続部品５０を覆うとともに、接続部品５０およびワイヤハーネス６０の間の接続部分や、接続部品５０および配線２３の間の接続部分を覆っている。熱収縮チューブ７０は、熱を受けることによって収縮可能な樹脂材料で形成されている。また、熱収縮チューブ７０の内周面には、熱収縮チューブ７０を収縮させる際の熱によって溶融可能な樹脂層が設けられている。
【００２２】
これにより、熱収縮チューブ７０を熱収縮させることにより、熱収縮チューブ７０の内周面を接続部品５０に密接させることができる。また、熱収縮チューブ７０の内周面に形成された樹脂層を溶融させて、熱収縮チューブ７０の内周面を接続部品５０に固定させることができる。なお、本実施例では、熱収縮チューブ７０を用いているが、熱収縮チューブ７０を省略することもできる。すなわち、ワイヤハーネス６０の一部や電気素子２０は、後述するように、ポッティング層に埋め込まれるため、熱収縮チューブ７０を省略することができる。
【００２３】
カバー３０のカバープレート（カバー本体）３７は、平板状に形成されており、カバープレート３７の外縁部には、ワイヤハーネス６０を通過させるための切り欠き部３１が形成されている。本実施例では、４つのワイヤハーネス６０を用いているため、カバープレート３７には、４つの切り欠き部３１が形成されている。なお、本実施例では、切り欠き部３１を形成しているが、ワイヤハーネス６０を通過させることができればよく、カバープレート３７に穴部を形成することもできる。
【００２４】
カバープレート３７の４つの角部には、ネジ４１を貫通させるための貫通孔３２が形成されている。また、カバープレート３７には、電気素子２０の収容スペースに、ポッティング用の樹脂材料を充填するための充填口３３が設けられている。本実施例では、２つの充填口３３を設けているが、充填口３３の数や充填口３３を設ける位置は、適宜設定することができる。ここで、本実施例のように、カバープレート３７のうち、ワイヤハーネス６０が配置される領域を挟む２つの位置に充填口３３を設けることにより、電気素子２０の収容スペースに対して、ポッティング用の樹脂材料を効率良く充填することができる。
【００２５】
カバープレート３７のうち、電気素子２０と対向する面（内壁面）には、突状に形成された押さえ部３４が設けられている。カバー３０をケース本体１０に固定したときに、押さえ部３４の先端は、電気素子２０と接触するようになっている。これにより、電気素子２０をケース本体１０内で位置決めすることができる。ここで、ケース本体１０内に位置するワイヤハーネス６０は、押さえ部３４と干渉しない領域に配置されている。
【００２６】
なお、電気素子２０は、押さえ部３４とは異なる構造によって、ケース本体１０内で位置決めすることができる。例えば、ケース本体１０の底面に対して、電気素子２０を位置決めするための位置決めピンを形成したり、ケース本体１０の内側面に電気素子２０を接触させて電気素子２０を位置決めしたりすることができる。
【００２７】
一方、カバープレート３７には、ガイド部材８０を固定するためのネジ４２が挿入されるネジ穴３５が形成されている。カバー３０には、２つのガイド部材８０が固定されるようになっており、２つのガイド部材８０の間には、カバープレート３７に一体的に設けられた支持枠（支持部）３６が配置されている。支持枠３６は、カバープレート３７の外壁面から突出しており、Ｚ方向から見たときに、矩形状に形成されている。
【００２８】
ガイド部材８０は、カバープレート３７の外壁面と接触する第１領域８１と、支持枠３６に接触する第２領域８２と、ワイヤハーネス６０を所定経路に沿って導くためのガイド部８３と、を有している。各ガイド部材８０には、２つのガイド部８３が形成されており、各ガイド部８３は、ワイヤハーネス６０の外周面に沿った形状に形成されている。これにより、各ガイド部８３、カバー３０（カバープレート３７および支持枠３６）によって、ワイヤハーネス６０の一部を囲むスペースが形成される。
【００２９】
第１領域８１には、ガイド部材８０をカバープレート３７に固定するためのネジ４２が貫通する貫通孔８１ａが形成されている。また、第２領域８２には、支持枠３６にガイド部材８０を取り付けるためのガイド突起８２ａが形成されている。ここで、支持枠３６には、ガイド突起８２ａが挿入されるガイド溝３６ａが形成されている。ガイド突起８２ａの先端部は、第２領域８２とともに、支持枠３６の壁面を挟む形状に形成されている。
【００３０】
ガイド突起８２ａをガイド溝３６ａに挿入することにより、支持枠３６に対してガイド部材８０を位置決めすることができる。これにより、ガイド部材８０の貫通孔８１ａおよびカバープレート３７のネジ穴３５を一致させることができ、ネジ４２を容易に取り付けることができる。
【００３１】
ケース本体１０およびカバー３０（カバープレート３７）で囲まれたスペースには、図２に示すように、樹脂材料が充填されることによってポッティング層９０が形成されている。ポッティング層９０の表面は、カバープレート３７から離れている。ポッティング層９０には、電気素子２０やワイヤハーネス６０の一部が埋め込まれており、ポッティング層９０の表面からはワイヤハーネス６０が突出している。
【００３２】
ポッティング層９０から突出したワイヤハーネス６０は、カバープレート３７の切り欠き部３１に向かってＺ方向に延びている。言い換えれば、ケース本体１０内に位置するワイヤハーネス６０は、カバープレート３７が配置された面（Ｘ−Ｙ平面）、又はポッティング９０の表面に対して略直交する方向に延びている。
【００３３】
本実施例では、ガイド部材８０のガイド部８３を用いることにより、ワイヤハーネス６０をカバープレート３７および支持枠３６に沿って配置することができる。具体的には、ワイヤハーネス６０における一部の領域は、カバープレート３７の外面に沿って配置され、ワイヤハーネス６０における他の一部の領域は、支持枠３６に沿って配置される。ワイヤハーネス６０を支持枠３６に沿って配置すれば、ワイヤハーネス６０は、カバープレート３７の外面から離れる方向に延びることになる。
【００３４】
ここで、ワイヤハーネス６０は、カバープレート３７の切り欠き部３１に対応した部分において、曲げ部６２を有しているとともに、カバープレート３７および支持枠３６の接続部分に対応した部分において、曲げ部６３を有している。
【００３５】
このように、ワイヤハーネス６０に対して２つの曲げ部６２，６３を設けることにより、電子機器１の外部において、ワイヤハーネス６０が外力を受けても、２つの曲げ部６２，６３において、外力を吸収することができる。すなわち、外力によるワイヤハーネス６０の移動を、ガイド部材８０やカバー３０（特に、支持枠３６）によって阻止することができ、ワイヤハーネス６０のうち、ケース１０内に位置する部分が移動してしまうのを阻止することができる。
【００３６】
これにより、図３に示すように、ワイヤハーネス６０がポッティング層９０から離れてしまうのを防止でき、ワイヤハーネス６０およびポッティング層９０の間に隙間が生じてしまうのを防止することができる。図３は、本実施例で説明したカバー３０やガイド部材８０を省略した構造において、ワイヤハーネス６０が外力の作用する方向に変位した状態を示している。図３に示す状態では、ワイヤハーネス６０がポッティング層９０から離れ、ポッティング層９０の表面に隙間が発生している。
【００３７】
例えば、電子機器１を設置するときには、ワイヤハーネス６０に外力が作用してしまうことがある。また、電子機器１を車両に搭載したときには、車両の振動が、ワイヤハーネス６０に作用することがある。本実施例では、ワイヤハーネス６０の一部がガイド部材８０やカバー３０を用いて固定されているため、ケース１０の内部において、ワイヤハーネス６０およびポッティング層９０が相対的にずれてしまうのを防止することができる。
【００３８】
一方、本実施例では、ガイド部材８０がケース１０のブッシュ１１よりも下方（重力が作用する方向）に位置するように、電子機器１を配置することができる。このように電子機器１を配置すれば、ケース１０の内部に水等が浸入したとしても、カバー３０（カバープレート３７）に形成された穴（切り欠き部３１や充填口３３）を介して水等を排出させることができる。
【００３９】
なお、本実施例では、ワイヤハーネス６０の一部をカバープレート３７および支持枠３６に沿って配置しているが、これに限るものではない。例えば、ワイヤハーネス６０のうち、カバープレート３７の切り欠き部３１を通過した部分を、カバープレート３７の外面に沿って固定させるだけでもよい。この場合にも、ワイヤハーネス６０には、少なくとも１つの曲げ部が設けられるため、ワイヤハーネス６０のうち、ケース１０の外側に位置する部分に外力が作用したとしても、ワイヤハーネス６０のうち、ケース１０の内側に位置する部分まで外力が伝わるのを抑制することができる。
【符号の説明】
【００４０】
１：電子機器                            １０：ケース本体
１１：ブッシュ                          １２：台座部
２０：電気素子                          ２１：素子本体
２２：プレート                          ２３：配線
３０：カバー                            ３１：切り欠き部
３４：押さえ部                          ３６：支持枠（支持部）
３７：カバープレート（カバー本体）      ５０：接続部品
６０：ワイヤハーネス（ケーブル）        ７０：熱収縮チューブ
８０：ガイド部材                        ８１：第１領域
８２：第２領域                          ８３：ガイド部
９０：ポッティング層
【図１】
2011120433.tif 000003
【図２】
2011120433.tif 000004
【図３】
2011120433.tif 000005